(57)【特許請求の範囲】
【請求項１】
複数の端末と、表示装置とがネットワークを介して接続される通信システムであって、
前記複数の端末の各々は、
振動を検知する振動検知手段と、
検知された振動に基づいて、コンテンツを提供する指示を含む振動内容報告と、コンテンツを提供する端末を限定する送出先固定要求を前記表示装置に送信する指示送信手段と、
を有し、
前記表示装置は、
前記指示を受信する指示受信手段と、
受信した前記振動内容報告に基づいて、コンテンツを受信する端末を選択する選択手段と、
受信した前記送出先固定要求にしたがってコンテンツを提供する端末を限定する限定手段と
を有し、
前記選択手段は、前記限定手段によって限定された前記端末を選択する、通信システム。
【請求項２】
前記選択手段によって選択された前記端末に対して無線リソースを割り当てる無線リソース割り当て手段を更に有する、請求項１記載の通信システム。
【請求項３】
前記無線リソース割り当て手段は、所定の期間ごとに分割された前記無線リソースを端末に割り当てる、請求項２記載の通信システム。
【発明の詳細な説明】
【技術分野】
【０００１】
本発明は、通信システムに関する。
【背景技術】
【０００２】
近年、ケーブル等を使用せずに無線ネットワーク（無線ＬＡＮ（Ｌｏｃａｌ  Ａｒｅａ  Ｎｅｔｗｏｒｋ）やミリ波通信）を用いてＰＣ（Ｐｅｒｓｏｎａｌ  Ｃｏｍｐｕｔｅｒ）などから、映像や音声など表示させるコンテンツを、プロジェクタやモニタなどの表示装置に伝送し、投影することのできるシステムが存在する。
【０００３】
例えば、リモコン又はコントローラを操作することで、コンテンツを表示させる映像機器を選択して、表示装置にコンテンツを表示させる技術が既に知られている（例えば、特許文献１、２などを参照）。また、リモコン又はコントローラで、表示装置に出力したコンテンツの音声などを制御する技術もすでに知られている（特許文献３などを参照）。
【発明の概要】
【発明が解決しようとする課題】
【０００４】
上述した従来の技術では、リモコン又はコントローラのボタンを押すことで、映像機器から表示装置にコンテンツを表示させることができる。
【０００５】
しかしながら、複数の映像機器の中から、表示装置にコンテンツを伝送させる映像機器を選択する場合、ユーザは煩雑な操作を行う必要があった。
【０００６】
本発明は、上記の従来の問題点に鑑み提案されたものであり、その目的とするところは、ユーザに煩雑な操作を行わせることなく、表示装置にコンテンツを伝送する映像機器を選択できる通信システムを提供することにある。
【課題を解決するための手段】
【０００７】
上記目的を達成するため、例えば、複数の端末と、表示装置とがネットワークを介して接続される通信システムであって、前記複数の端末の各々は、振動を検知する振動検知手段と、検知された振動に基づいて、コンテンツを提供する指示を含む振動内容報告と、コンテンツを提供する端末を限定する送出先固定要求を前記表示装置に送信する指示送信手段と、を有し、前記表示装置は、前記指示を受信する指示受信手段と、受信した前記振動内容報告に基づいて、コンテンツを受信する端末を選択する選択手段と、受信した前記送出先固定要求にしたがってコンテンツを提供する端末を限定する限定手段とを有し、前記選択手段は、前記限定手段によって限定された前記端末を選択する。
【発明の効果】
【０００８】
本発明の一側面にあっては、ユーザに煩雑な操作を行わせることなく、表示装置にコンテンツを伝送する映像機器を選択できる。
【図面の簡単な説明】
【０００９】
【図１】本実施形態における通信システムのシステム構成例を示す図である。
【図２】本実施形態における映像音声出力処理部と映像音声入力処理部の各構成例を示す図である。
【図３】本実施形態における送信フレームの一例を示す図である。
【図４】本実施形態における送受信処理の第１例を示す図である。
【図５】本実施形態における送受信処理の第２例を示す図である。
【図６】本実施形態における送受信処理の第３例を示す図である。
【図７】本実施形態における映像音声データを送出するソース機の切り替え動作の流れを示すシーケンス図である。
【図８】本実施形態における無線通信装置間で送受信されるメッセージ例を示す図である。
【図９】本実施形態における特定のソース機を操作することによって、映像音声データを送出するソース機を切り替える流れを示すシーケンス図である。
【図１０】本実施形態における、複数のソース機に対して振動を与えた場合の映像音声データを送出するソース機を決定する動作の流れを示すシーケンス図である。
【図１１】本実施形態における省電力モードへの移行指示を示す振動を検知した場合の動作の流れを示すシーケンス図である。
【図１２】本実施形態における映像音声データを送出するソース機を限定する動作の流れを示すシーケンス図である。
【図１３】本実施形態におけるソース機の通信設定の変更処理の手順例を示すフローチャートである。
【図１４】本実施形態における認証処理を開始させる振動を検知した場合の動作の流れを示すシーケンス図である。
【図１５】変形例における、通信システムの機能構成例を示す図である。
【図１６】第２の実施形態における、通信システムの機能構成例を示す図である。
【図１７】第２の実施形態における映像音声データの送出するソース機を切り替え動作の流れを示すシーケンス図である。
【発明を実施するための形態】
【００１０】
以下、本発明の好適な実施形態について説明する。
【００１１】
［第１の実施形態］
＜無線通信システムの概要＞
図１は、本発明の第１の実施の形態に係る通信システム１のブロック図を示す。無線通信システム１は、第１の無線通信装置１００と、第２の無線通信装置２００−１と、第３の無線通信装置２００−２とを備える。
【００１２】
第１の無線通信装置１００は、受信装置として機能し、シンク機と称することがある。第２の無線通信装置２００−１および第３の無線通信装置２００−２は、送信装置として機能し、それぞれ、第１のソース機および第２のソース機またはソース機１およびソース機２と称することがある。
【００１３】
第２の無線通信装置２００−１または第３の無線通信装置２００−２は、映像音声入力処理部２０２を介して、外部のＰＣやメディアプレーヤ等のビデオ・音声出力端子に接続される。なお、第２の無線通信装置２００−１がＰＣ又はメディアプレーなどの内部に含まれる構成であってもよい。
【００１４】
第２の無線通信装置２００−１または第３の無線通信装置２００−２は、外部のＰＣやメディアプレーヤ等から映像データと音声データを受信すると、受信した映像音声データをアンテナ２１０から出力する。以下、映像データと音声データとの少なくとも一方のデータを含むものを映像音声データ（コンテンツ）という。
【００１５】
第１の無線通信装置１００は、アンテナ１１０を介して第２の無線通信装置２００−１または第３の無線通信装置２００−２から映像音声データを受信する。受信した映像音声データは、映像音声出力処理部１０２を経由して外部のＴＶやプロジェクタなどの表示装置の映像・音声入力端子に出力される。表示装置はその出力された映像音声データを再生する。なお、第１の無線通信装置１００がＴＶやプロジェクタなどの表示装置の内部に含まれる構成であってもよい。
【００１６】
本実施の形態では、２台の無線通信装置２００−１，２００−２を備えているが、３台以上であってもよい。
【００１７】
≪無線通信装置２００−１，２００−２≫
第２の無線通信装置２００−１と第３の無線通信装置２００−２とは同一の構成を有しているので、以下、第２の無線通信装置２００−１について説明し、第３の無線通信装置２００−２については、同一の部材に同一の符号を付して、説明は省略する。
【００１８】
第２の無線通信装置２００−１は、制御部２０１、映像音声入力処理部２０２、振動検知装置２０３、装置情報記憶部２０４、無線通信情報記憶部２０５および無線通信処理部２０６を備える。
【００１９】
映像音声入力処理部２０２は、外部のＰＣやメディアプレーヤ等のビデオ・音声出力端子に接続され、それらから映像音声データを受信する。映像音声入力処理部２０２として、後述する通り、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）の規格に準拠した通信インタフェースを用いることができる。その他に、映像音声入力処理部２０２として、ＤＶＩ（Ｄｉｇｉｔａｌ  Ｖｉｓｕａｌ  Ｉｎｔｅｒｆａｃｅ）、ＤＩＳＰＬＡＹ  ＰＯＲＴ等の規格に準拠したインタフェースを用いてもよい。
【００２０】
図２は、映像音声出力処理部１０２と映像音声入力処理部２０２との各々の構成の一例を示す。映像音声出力処理部１０２と映像音声入力処理部２０２との各々は、ＨＤＭＩ（登録商標）の規格に準拠した通信インタフェースであり、ＨＤＭＩ（登録商標）送信機２１とＨＤＭＩ（登録商標）受信機２２とからなる。
【００２１】
これにより、非圧縮デジタル形式の映像音声データが、第２の無線通信装置２００−１または第３の無線通信装置２００−２から第１の無線通信装置１００に伝達される。ＨＤＭＩ（登録商標）送信機２１からＨＤＭＩ（登録商標）受信機２２に伝達される信号の中で、Ｈ／Ｖ  ｓｙｎｃは、水平（ｈｏｒｉｚｏｎｔａｌ）／垂直（ｖｅｒｔｉｃａｌ）の同期信号（ｓｙｎｃｈｒｏｎｉｚｉｎｇ  ｓｉｇｎａｌ）である。
【００２２】
ＨＤＭＩ（登録商標）送信機２１とＨＤＭＩ（登録商標）受信機２２との間に接続されている信号線の中でＤＤＣは、（ＶＥＳＡ）Ｄｉｓｐｌａｙ  Ｄａｔａ  Ｃｈａｎｎｅｌ方式のデータをやり取りする信号線である。また、ＣＥＣ（Ｃｏｎｓｕｍｅｒ  Ｅｌｅｃｔｒｏｎｉｃｓ  Ｃｏｎｔｒｏｌ）は、ＨＤＭＩ（登録商標）で規定される機器制御用信号とプロトコル通信用の信号線である。Ｈｏｔ  Ｐｌｕｇ  Ｄｅｔｅｃｔは、ホットプラグ検出により端子の抜き差しを検出するための信号線である。
【００２３】
図１に戻り、映像音声入力処理部２０２に入力された映像音声データは、制御部２０１の制御の下で、無線通信処理部２０６に入力される。
【００２４】
振動検知装置２０３は、例えば、加速度センサ、静電容量式変位センサ、圧電センサなどで構成される。振動検知装置２０３は、ユーザが無線通信装置本体をたたいた際の振動、もしくは無線通信装置が設置されている机などをたたいた際に生じる振動を検知する。振動検知装置２０３は、振動の検知を制御部２０１へ送信する。
【００２５】
装置情報記憶部２０４は、無線通信装置固有のＩＤを記憶している。無線通信装置固有のＩＤは、例えば、第１の無線通信装置１００、第２の無線通信装置２００−１および第３の無線通信装置２００−２のＭＡＣアドレスである。また、無線通信装置固有のＩＤは、ＭＡＣアドレス以外の他の識別子であってもよい。
【００２６】
無線通信情報記憶部２０５は、無線通信で使用する周波数帯域や、映像音声データを送る帯域の予約情報、ストリームＩＤ、映像音声処理に必要なパラメータ等を記憶している。
【００２７】
制御部２０１は、映像音声入力処理部２０２、振動検知装置２０３、装置情報記憶部２０４、無線通信情報記憶部２０５および無線通信処理部２０６を制御するもので、ＣＰＵ（Ｃｅｎｔｒａｌ  Ｐｒｏｃｅｓｓｉｎｇ  Ｕｎｉｔ）およびメモリで構成される。制御部２０１は、メモリに記憶されたアプリケーション（ファームウェア、プログラム）に従って所定の機能を実行する。
【００２８】
プログラムは、フレキシブルディスク、ＣＤ−ＲＯＭ、メモリカード等の記録媒体に記録された状態で提供される。この記録媒体をコンピュータの補助記憶装置に挿入すると、媒体に記録されたプログラムが読み取られる。ＣＰＵは、読み込んだプログラムをＲＡＭ（Ｒａｎｄｏｍ  Ａｃｃｅｓｓ  Ｍｅｍｏｒｙ）あるいは外部記憶装置に書き込み、このプログラムにしたがって制御部２０１が機能する。ただし、プログラムは、記録媒体からではなくオンラインによって入手してもよい。
【００２９】
制御部２０１は、振動検知装置２０３から通知された振動の検知にしたがって、本体を２回連続してたたくなど、たたき方を判別する。その後、制御部２０１は、たたき方に対応付けられた指示内容にしたがって、第１の無線通信装置１００へメッセージを送信するなどの動作の実行を指示する。
【００３０】
無線通信処理部２０６は、制御部２０１を経由して、映像音声入力処理部２０２から映像音声データを受信する。無線通信処理部２０６は、映像音声データを受信すると、その映像音声データをアンテナ２１０から無線を送信する。その送信された映像音声データは、第１の無線通信装置１００のアンテナ１１０から無線通信処理部１０６に伝送される。
【００３１】
≪第１の無線通信装置１００≫
第１の無線通信装置１００は、無線通信処理部１０５と、装置情報記憶部１０４と、無線通信情報記憶部１０３と、制御部１０１と、映像音声出力処理部１０２とを備える。第１の無線通信装置１００は、映像音声データをＴＶやプロジェクタなどの表示装置に出力する出力装置として機能する。
【００３２】
無線通信処理部１０５は、第２の無線通信装置２００−１または第３の無線通信装置２００−２から同期用データ、制御データ、映像音声データを受信する。無線通信処理部２０６と無線通信処理部１０５との間の無線通信の手段または規格として、８０２．１１無線ＬＡＮ、ＷｉＭｅｄｉａ（ＩＥＥＥ  ［Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，  Ｉｎｃ．］  ８０２．１５．３ａ，  ＥＣＭＡ−３６８）、ミリ波による無線ＰＡＮ（８０２．１５．３ｃ）などが適用される。無線通信処理部１０５は、無線通信処理部２０６から同期用データ、制御データ、映像音声データを受信すると、それらを制御部１０１に送信する。
【００３３】
装置情報記憶部１０３は、無線通信装置固有のＩＤを記憶している。無線通信装置固有のＩＤは、第１の無線通信装置１００、第２の無線通信装置２００−１および第３の無線通信装置２００−２のＭＡＣアドレスが望ましい。ただし、それに代えて、他の識別子であってもよい。
【００３４】
無線通信情報記憶部１０４は、無線通信で使用する周波数帯域、映像音声データを送る帯域の予約情報、ストリームＩＤ、映像音声処理に必要なパラメータ等を記憶している。
【００３５】
制御部１０１は、装置情報記憶部１０３、無線通信情報記憶部１０４、無線通信処理部１０５および映像音声出力処理部１０２を制御するもので、ＣＰＵおよびメモリで構成される。制御部１０１は、メモリに記憶されたアプリケーション（ファームウェア、プログラム）に従って所定の機能を実行する。
【００３６】
プログラムは、記録媒体に記録されたものでもネットワークを介して入手したものでもよい。
【００３７】
制御部１０１は、第２の無線通信装置２００−１または第３の無線通信装置２００−２からの同期用データにより同期処理を行う。
【００３８】
また、制御部１０１は、第２の無線通信装置２００−１または第３の無線通信装置２００−２からの制御データに基づいて、無線リソースの割り当てを行う。無線リソースは時間区分にしたがって分割され、各無線通信装置に割り当てられる。なお、無線リソースの分割方法は、通信に用いる通信方式によって決定される。制御部１０１は、第２の無線通信装置２００−１または第３の無線通信装置２００−２との間での通信を制御する。
【００３９】
例えば、制御部１０１は、第２の無線通信装置２００−１から振動内容報告があると、それに対し応答を送信する。また、制御部１０１は、映像音声データを受信する無線通信装置として、第２の無線通信装置２００−１を選択する。その後、制御部１０１は、第２の無線通信装置２００−２に対して無線リソースの割り当てを行う。また、制御部１０１は、第３の無線通信装置２００−２から通信の切り替え要求が入力されると、通信の切り替え要求に対し応答を送信する。応答メッセージを送信すると、制御部１０１は、他の無線通信装置に割り当てられている無線リソースを解放する。制御部１０１は、改めて第３の無線通信装置に無線リソースを割り当てる。また、制御データ及び同期用データは、例えば、ＭＡＣフレームを用いて無線通信装置間で送受信される。
【００４０】
図３は、第１の無線通信装置１００、第２の無線通信装置２００−１および第３の無線通信装置２００−２の間で送信される８０２．１１無線ＬＡＮのＭＡＣ（Ｍｅｄｉｕｍ  Ａｃｃｅｓｓ  Ｃｏｎｔｒｏｌ）フレームの基本フォーマットの一例を示す。図３に示すように、８０２．１１無線ＬＡＮのＭＡＣフレーム基本フォーマットは、ＭＡＣヘッダとフレーム・ボディとＦＣＳとから構成されている。
【００４１】
ＭＡＣヘッダには、フレーム制御用情報、送信側のＭＡＣアドレス、フレーム・ボディの変復調用データ（通信のレートなどに関するもの）などが含まれる。
【００４２】
また、ＭＡＣヘッダには、映像音声信号を無線通信で伝送するための無線通信機器のＭＡＣアドレスが含まれる。
【００４３】
フレーム・ボディには、映像音声データが含まれる。
【００４４】
ＦＣＳ（Ｆｒａｍｅ  Ｃｈｅｃｋ  Ｓｅｑｕｅｎｃｅ）には、ＭＡＣヘッダおよびフレーム・ボディについての誤り訂正符号が含まれる。
【００４５】
上記の通り、無線通信の規格として、８０２．１１無線ＬＡＮ以外にも、ＷｉＭｅｄｉａ、ミリ波による無線ＰＡＮなどを利用することができる。これらの通信規格に対応するフレームの基本フォーマットは大きくは変わらない。
【００４６】
図１に戻り、制御部１０１は、無線通信処理部１０５から映像音声データを受信して映像音声出力処理部１０２に出力する。
【００４７】
映像音声出力処理部１０２は、表示装置の映像・音声入力端子に接続されていて、映像音声データをそれに出力する。映像音声出力処理部１０２として、後述する通り、ＨＤＭＩ（登録商標）の規格に準拠した通信インタフェースを用いる。その他に、映像音声出力処理部１０２として、ＤＶＩ、ＤＩＳＰＬＡＹ  ＰＯＲＴ等の規格に準拠したインタフェースを用いてもよい。
【００４８】
＜処理動作＞
≪データ送受信の第１例≫
図４は、図１に示す無線通信システム１における送受信処理の第１例を示す。第１の無線通信装置１００と、第２の無線通信装置２００−１と、第３の無線通信装置２００−２とは、時分割多元接続（ＴＤＭＡ）（Ｔｉｍｅ  Ｄｉｖｉｓｉｏｎ  Ｍｕｌｔｉｐｌｅ  Ａｃｃｅｓｓ）通信方式により、同一周波数帯を時間的に複数に分割して通信を行う。時分割多元接続通信方式は、ＷｉＭｅｄｉａやミリ波通信で使用される。
【００４９】
図４において、横軸は時間である。時分割多元接続通信方式の第１例では、ネットワークに参加する第１の無線通信装置１００、第２の無線通信装置２００−１および第３の無線通信装置２００−２が、一定時間の周期で同期用データ（ビーコン）を送信する。
【００５０】
一定時間の周期は、スーパーフレームと称され、図４では、例示的に、連続するスーパーフレーム（１）、スーパーフレーム（２）、スーパーフレーム（３）を示す。
【００５１】
第１の無線通信装置１００、第２の無線通信装置２００−１および第３の無線通信装置２００−２が、一定時間の周期で同期用データ（ビーコン）を送信すると、ネットワークへの参加やデータ通信の帯域予約交渉処理が行われる。
【００５２】
各スーパーフレーム内では、同期用データ以外に、制御用データの送受信やアプリケーションに応じた映像データや音声データの送受信が行われる。図４に示す例では、スーパーフレーム（１）、（２）では、ビーコンと映像音声データ（映像音声１，映像音声２）が送受信されており、スーパーフレーム（３）では、ビーコンと制御用データと映像音声データ（映像音声１，映像音声２）が送受信されている。
【００５３】
第１の無線通信装置１００、第２の無線通信装置２００−１および第３の無線通信装置２００−２によってデータ通信の帯域予約交渉が行われる際、どの無線通信装置が、スーパーフレームのどの時間区間で映像データや音声データを送るのかが交渉される。
【００５４】
図４に示す例では、各スーパーフレーム（１），（２）または（３）により表される一定区間内において、第２の無線通信装置２００−１と第３の無線通信装置２００−２とから、１回ずつ交互に、映像音声データ送出可能な時間区間が決定されている。
【００５５】
なお、図４に示す例では、実線で示す映像音声データは、実際にデータが送信されたことを示し、破線で示す映像音声データは、時間帯は予約されているが実際には送信されなかったことを示している。
【００５６】
具体的に説明すると、図４において、最初の連続する２つのスーパーフレーム（１），（２）では、第２の無線通信装置２００−１が、映像音声データ（映像音声１）を第１の無線通信装置１００に送信した。これに対し、それらのフレームの間では、第３の無線通信装置２００−２は、映像音声データ（映像音声２）を第１の無線通信装置１００に送信しなかった。
【００５７】
スーパーフレーム（２）に続くスーパーフレーム（３）では、第１の無線通信装置１００、第２の無線通信装置２００−１および第３の無線通信装置２００−２の間で制御用データの送受信が実行された。これにより、第２の無線通信装置２００−１が映像音声データ（映像音声１）の送信を行わず、第３の無線通信装置２００−２が映像音声データ（映像音声２）を第１の無線通信装置１００に送信した。
【００５８】
≪データ送受信の第２例≫
図５は、図１に示す無線通信システム１における送受信処理の第２例を示す。図４の例と同様に、第１の無線通信装置１００と、第２の無線通信装置２００−１と、第３の無線通信装置２００−２とは、時分割多元接続（ＴＤＭＡ）通信方式により、同一周波数帯を時間的に複数に分割して通信を行う。時分割多元接続通信方式は、ＷｉＭｅｄｉａやミリ波通信で使用される。
【００５９】
図５において、横軸は時間である。時分割多元接続通信方式の第２例では、ネットワークに参加する第１の無線通信装置１００、第２の無線通信装置２００−１および第３の無線通信装置２００−２が、スーパーフレーム内で同期用データ（ビーコン）を送信する。
【００６０】
図４では、各スーパーフレーム（１），（２），（３）により表される一定区間内において１回ずつ交互に、第２の無線通信装置２００−１と第３の無線通信装置２００−２とから映像音声データ送出できる時間区間が決定されている。
【００６１】
これに対し、図５では、短い時間間隔で、第２の無線通信装置２００−１から第１の無線通信装置１００に送信できる時間区間と、第３の無線通信装置２００−２から第１の無線通信装置１００に送信できる時間区間とが交互に送出可能になっている。
【００６２】
このように短い間隔で交互に映像音声データが送出可能になると、図４の場合と異なる効果を得られる。
【００６３】
つまり、無線通信によって、第２の無線通信装置２００−１または第３の無線通信装置２００−２から映像音声データが第１の無線通信装置１００に送信された後、第１の無線通信装置１００から外部の表示装置の映像・音声入力端子に映像音声データが入力される。この際、第２の無線通信装置２００−１から第１の無線通信装置１００までの映像音声データの到達時間と、第３の無線通信装置２００−２から第１の無線通信装置１００までの映像音声データの到達時間との差を短くすることができる。
【００６４】
第１の無線通信装置１００が対応可能であれば、第２の無線通信装置２００−１および第３の無線通信装置２００−２から映像音声データを第１の無線通信装置１００に同時に送信するようにしてもよい。
【００６５】
≪データ送受信の第３例≫
図６は、本実施形態における送受信処理の第３例を示す図である。図４の例と同様に、第１の無線通信装置１００と、第２の無線通信装置２００−１と、第３の無線通信装置２００−２とは、時分割多元接続（ＴＤＭＡ）通信方式により、同一周波数帯を時間的に複数に分割して通信を行う。時分割多元接続通信方式は、ＷｉＭｅｄｉａやミリ波通信で使用される。
【００６６】
図６において、横軸は時間である。時分割多元接続通信方式の第３例では、ネットワークに参加する第１の無線通信装置１００、第２の無線通信装置２００−１および第３の無線通信装置２００−２が、スーパーフレーム内で同期用データ（ビーコン）を送信する。
【００６７】
図４及び図５において、各スーパーフレームにおいて、第２の無線通信装置と第３の無線通信装置が、データを送出する時間を区切り、交互にデータを送信している。
【００６８】
図６では、制御データや同期用データを使用して通信帯域の予約と解除を行って、一つの無線通信装置にスーパーフレーム内の時間区間を占有させ、データを送信させる。データを送信する無線通信装置の切り替えは、まず、制御データや同期用データを用いて通信帯域の予約と解除を行う。つづいて、ソース機１が占有していた時間区間を解放する。その後、ソース機２がデータを送信できるように時間区間を予約して、ソース機２からデータを送信できるようにする。
【００６９】
≪ソース機の切り替え動作≫
図７は本実施形態における映像音声データを送出するソース機の切り替え動作の流れを示すシーケンス図である。
【００７０】
ステップＳ１で、シンク機、ソース機１、ソース機２の間で、無線通信のための同期処理、無線接続処理、及び周波数帯域を予約する処理が実行される。
【００７１】
ステップＳ２で、ソース機１は、映像音声データを送出する許可をシンク機に対して要求する、振動を検知する。
【００７２】
ステップＳ３で、ソース機１は、シンク機に対して映像音声データを送出する許可の要求を示す振動内容報告を送信する。
【００７３】
ステップＳ４で、ソース機１は、シンク機から振動内容報告を受信したことを示す応答を受信する。
【００７４】
ステップＳ５で、シンク機は、ソース機２に対して、データの送出を停止させる命令を示す送出停止命令を送信する。
【００７５】
ステップＳ６で、シンク機は、ソース機２から送出停止命令を受信したことを示す応答を受信する。
【００７６】
ステップＳ７で、シンク機は、ソース機１に対して、映像音声データの送出を許可することを示す、映像音声データの送出開始命令を送信する。
【００７７】
ステップＳ８で、シンク機は、ソース機１から送出開始命令に対する応答を受信する。
【００７８】
ステップＳ９で、送出停止命令を受信したソース機２は、データの送受信を行わないように、省電力モードへ移行することが望ましい。省電力モードへの移行は、例えば、ソース機２の映像音声入力処理部２０２がハードウエアで構成されている場合、入力されるクロック又は電源の配給を停止させることによって行う。
【００７９】
ステップＳ１０で、ソース機１は、シンク機に映像音声データを送信する。この映像音声データの送受信は、例えば、ＷｉＭｅｄｉａや無線ＰＡＮの規格に則った通信方法が用いられる。また、通信相手の識別には、ＭＡＣアドレスなどが用いられる。また、映像音声データは、図３に示すＭＡＣフレーム基本フォーマットのフレーム・ボディに付帯されている。
【００８０】
ステップＳ１１で、ソース機２は、省電力モードから復帰し、映像音声データを送出する許可をシンク機に対して要求する、振動を検知する。
【００８１】
ステップＳ１２で、ソース機２は、シンク機に対して映像音声データを送出する許可の要求を示す振動内容報告を送信する。
【００８２】
ステップＳ１３で、ソース機２は、振動内容報告を受信したことを示す応答を受信する。
【００８３】
ステップＳ１４で、ソース機２から振動内容報告を受信したシンク機は、ソース機１による映像音声データの送出を停止させるため、ソース機１に対してデータの送出の停止を要求する送出停止命令を送信する。
【００８４】
ステップＳ１５で、シンク機は、ソース機１から送出停止命令を受信したことを示す応答を受信する。
【００８５】
ステップＳ１６で、シンク機は、ソース機２に対して、送出開始命令を送信する。
【００８６】
ステップＳ１７で、シンク機は、ソース機２から送出開始命令に対する応答を受信する。
【００８７】
ステップＳ１８、Ｓ１９で、ソース機１は、映像音声データなどのデータの送出を停止させ、省電力モードへ移行することが望ましい。
【００８８】
ステップＳ２０で、ソース機２は、シンク機に映像音声データの送出を開始する。
【００８９】
図８は本実施形態における無線通信装置間で送受信されるメッセージ例を示す図である。無線通信間で送受信されるメッセージは、「送信元」、「送信先」、「メッセージ種別」などの情報項目を有する。
【００９０】
「送信元」は送信元のアドレス情報を示す情報である。「送信先」は送信先のアドレス情報を示す情報である。図８では、ＭＡＣアドレス１、ＭＡＣアドレス２、ＭＡＣアドレス３は、ソース機１、シンク機、ソース機２それぞれのＭＡＣアドレスである。
【００９１】
メッセージ種別は、送信するメッセージがどのようなメッセージかを示す情報である。メッセージ種別は、各メッセージ内容に対してフラグ情報が設定される。例えば、送信するメッセージが、データの送出の許可を要求する「振動内容報告」である場合、「振動内容報告」のフラグを「１」にしたメッセージが通信相手へ送信される。また、メッセージは、同期用フレーム又は制御用フレームを用いて送信される。
【００９２】
図８に示すＭ１はソース機１からシンク機に対して「振動内容報告」を含むメッセージを送信した例である。Ｍ２は、シンク機が、Ｍ１に対する「応答」をソース機１に送信した例である。
【００９３】
図９は本実施形態における、特定のソース機が、映像音声データを送出するソース機の切り替えをシンク機に要求する動作の流れを示すシーケンス図である。
【００９４】
ステップＳ２１で、シンク機、ソース機１、ソース機２の間で、無線通信のための同期処理、無線接続処理、及び周波数帯域を予約する処理が実行される。
【００９５】
ステップＳ２２で、ソース機１は、映像音声データを送出する許可をシンク機に対して要求する、振動を検知する。
【００９６】
ステップＳ２３、２４で、ソース機１は、シンク機に対して映像音声データを送出する許可の要求を示す振動内容報告を送信する。その後、ソース機１は、シンク機から応答を受信する。
【００９７】
ステップＳ２５、２６で、シンク機は、ソース機２に対して、データの送出を停止させる命令を示す送出停止命令を送信する。その後、シンク機は、ソース機２から送出停止命令に対する応答を受信する。
【００９８】
ステップＳ２７、２８で、シンク機は、ソース機１に対して、映像音声データの送出開始命令を送信する。その後、シンク機は、ソース機から、送出開始命令に対して応答を受信する。
【００９９】
ステップＳ２９で、ソース機２は、省電力モードへ移行することが望ましい。
【０１００】
ステップＳ３０で、ソース機１は、シンク機に映像音声データを送信する。
【０１０１】
ステップＳ３１で、ソース機１は、データを送出するソース機の切り替えの要求を示す、振動を検知する。
【０１０２】
ステップＳ３２で、ソース機１は、振動内容通知を送信する。
【０１０３】
ステップＳ３３で、ソース機１は、シンク機から振動内容通知に対する応答を受信する。
【０１０４】
ステップＳ３４で、シンク機は、映像音声データを送出中のソース機１から振動内容通知を受信した場合、映像音声データを送出するソース機の切り替え指示と判断し、ソース機１に対してデータの送出停止を示す送出停止要求を送信する。
【０１０５】
ステップＳ３５で、シンク機は、データの送出停止命令に対する応答をソース機１から受信する。
【０１０６】
ステップＳ３６、Ｓ３７で、シンク機は、ソース機２に対して、映像音声データの送出開始命令を送信する。その後、ソース機２は、シンク機に対して、送出開始命令に対して応答する。
【０１０７】
ステップＳ３８で、ソース機１は、データの送出を停止する。
【０１０８】
ステップＳ３９で、ソース機１を省電力モードへ移行させることが望ましい。
【０１０９】
ステップＳ４０で、ソース機２は、映像音声データなどのデータをシンク機へ送信する。
【０１１０】
図１０は、複数のソース機に対して振動を与えた場合における映像音声データを送出するソース機の決定動作の流れを示すシーケンス図である。
【０１１１】
ステップＳ４１で、シンク機、ソース機１、ソース機２の間で、無線通信のための同期処理、無線接続処理、及び周波数帯域を予約する処理が実行される。
【０１１２】
ステップＳ４２で、シンク機、ソース機１、及びソース機２が設置されている机などに対して、たたくなどの動作がユーザによって行われる。この時、机のたたかれた場所は、ソース機１に一番近い場所とする。
【０１１３】
ステップＳ４３で、振動を最初に検知したソース機１が、シンク機に対して振動内容報告を送信する。この時、振動内容報告に振動を検知した時間が含まれていてもよい。その後、ステップＳ４４で、ソース機１は、シンク機から応答を受信する。
【０１１４】
ステップＳ４５で、ソース機１の次に振動を検知したソース機２が、シンク機に対して振動内容報告を送信する。その後、ステップＳ４６で、ソース機２は、シンク機から応答を受信する。
【０１１５】
ステップＳ４７で、シンク機は、ソース機１及びソース機２から受信した振動内容報告に含まれる振動を検知した時間に基づいて、最初に振動を検知したソース機を判断し、最初に振動を検知したソース機１に対してデータの送出開始命令を送信する。ステップＳ４８で、シンク機は、ソース機１から応答を受信する。なお、シンク機は、あらかじめ閾値を保持する。シンク機は、閾値以下の期間に複数のソース機から振動内容報告を受信した場合、最初に振動を検出したソース機を判定し、そのソース機に対して送出開始命令を送信する。
【０１１６】
ステップＳ４９で、ソース機２は、所定の期間内に送出開始命令が受信されない場合、省電力モードへ移行する。
【０１１７】
ステップＳ５０で、ソース機１は、シンク機に対して、映像音声データなどのデータを送出する。
【０１１８】
ステップＳ５１で、シンク機、ソース機１、及びソース機２が設置されている机において、ソース機２が一番近い場所をたたくなどの動作がユーザによって行われる。
【０１１９】
ステップＳ５２で、振動を最初に検知したソース機２が、シンクに対して振動内容報告を送信する。その後、ステップＳ５３で、ソース機２は、シンク機から応答を受信する。
【０１２０】
ステップＳ５４で、ソース機２の次に振動を検知したソース機１が、シンクに対して振動内容報告を送信する。その後、ステップＳ５５で、ソース機１は、シンク機から応答を受信する。
【０１２１】
ステップＳ５６で、シンク機は、振動内容報告に含まれる振動検知時間に基づいて、最初に振動を検知したソース機を判断し、ソース機１に対してデータの送出停止命令を送信する。その後、ステップＳ５７で、シンク機は、ソース機２から応答を受信する。
【０１２２】
ステップＳ５８で、シンク機は、最初に振動を検知したソース機２に対してデータの送出開始命令を送信する。ステップＳ５９で、シンク機は、ソース機２から応答を受信する。
【０１２３】
ステップＳ６０で、ソース機１は、データの送出を停止させる。その後、ステップＳ６１で、ソース機１は省電力モードへ移行する。
【０１２４】
ステップＳ６２で、ソース機２は、映像音声データなどのデータの送出を開始する。
【０１２５】
≪省電力モードへの移行動作≫
図１１は、本実施形態における省電力モードへ移行指示を示す振動を検知した場合の動作の流れを示すシーケンス図である。なお、図１１において、ソース機１が、シンク機に対してデータを送出している。
【０１２６】
ステップＳ７１で、シンク機、ソース機１、ソース機２の間で、無線通信のための同期処理、無線接続処理、及び周波数帯域を予約する処理が実行される。
【０１２７】
ステップＳ７２で、シンク機、ソース機１、及びソース機２が設置されている机などに対して、各ソース機を省電力モードへ移行させる指示を示す振動が与えられる。
【０１２８】
ステップＳ７３で、振動を検知したソース機１は、シンク機に対して、省電力モードへの移行指示を示す省電力モード移行要求をシンク機へ送信する。
【０１２９】
ステップＳ７４で、ソース機１は、シンク機から省電力モード移行要求に対する応答を受信する。
【０１３０】
ステップＳ７５で、振動を検知したソース機２は、シンク機に対して、省電力モード移行要求をシンク機へ送信する。
【０１３１】
ステップＳ７６で、ソース機２は、シンク機から省電力モード移行要求に対する応答を受信する。
【０１３２】
ステップＳ７７で、シンク機は、映像音声データを送出しているソース機１に対して、データの送出停止命令を送信する。その後、ステップＳ７８で、シンク機は、ソース機１から送出停止命令に対する応答を受信する。
【０１３３】
ステップＳ７９〜８２で、ソース機１及びソース機２から省電力モード移行要求を受信したシンク機は、各ソース機に対して、省電力モードへの移行命令を送信し、省電力モードへの移行命令に対する応答を受信する。
【０１３４】
ステップＳ８３、８４で各ソース機は省電力モードへ移行する。なお、シンク機は省電力モードへの移行命令に限らず、各ソース機に対して電源をオフさせる指示を送信してもよい。
【０１３５】
≪データを送出するソース機を限定する動作≫
図１２は、本実施形態における映像音声データを送出するソース機を限定する動作の流れを示すシーケンス図である。
【０１３６】
ステップＳ９１で、シンク機、ソース機１、ソース機２の間で、無線通信のための同期処理、無線接続処理、及び周波数帯域を予約する処理が実行される。
【０１３７】
ステップＳ９２で、ソース機１は、シンク機への映像音声データの送出指示を示す振動をユーザから受け付ける。
【０１３８】
ステップＳ９３で、ソース機１は、映像音声データの送出する指示を含む振動内容報告を、シンク機へ送信する。
【０１３９】
ステップＳ９４で、ソース機１は、シンク機から振動内容報告に対する応答を受信する。
【０１４０】
ステップＳ９５で、シンク機は、ソース機２に対して、送出停止命令を送信する。その後、ステップＳ９６で、シンク機は、ソース機２から、送出停止命令に対する応答を受信する。
【０１４１】
ステップＳ９７で、シンク機は、ソース機１に対してデータの送出開始命令を送信する。その後、ステップＳ９８で、シンク機はソース機１から送出開始命令に対する応答を受信する。
【０１４２】
ステップＳ９９で、ソース機２は、省電力モードへ移行する。
【０１４３】
ステップＳ１００で、ソース機１は、シンク機に対して映像音声データを送出する。
【０１４４】
ステップＳ１０１で、ソース機１は、映像音声データを送出するソース機をソース機１に限定させる操作を示す振動を検知する。
【０１４５】
ステップＳ１０２で、ソース機１は、映像音声データを送出するソース機をソース機１に限定する要求を示す送出先固定要求を、シンク機へ送出する。その後、ステップＳ１０３で、ソース機１は、送出先固定要求に対する応答を受信する。
【０１４６】
ステップＳ１０４で、ソース機２は、省電力モードから復帰し、映像音声データを送出する指示を示す振動を検知する。
【０１４７】
ステップＳ１０５で、ソース機２は、映像音声データを送信する指示を含む振動内容報告を送信する。その後、ステップＳ１０６で、ソース機２は、振動内容報告に対する応答を受信する。その後、送出先固定要求にしたがって、映像音声データを送出するソース機を限定しているため、ソース機２に対して、シンク機は、送出開始命令を送信しない。
【０１４８】
≪通信設定の変更動作≫
図１３は、ソース機の通信設定の変更処理の手順例を示すフローチャートである。
【０１４９】
ステップＳ１１０で、当該処理を開始する。
【０１５０】
ステップＳ１１１で、ソース機は、ユーザから、通信設定の変更を指示する、振動を検知する。通信設定のパラメータの変更は、例えば、連絡してソース機をたたく動作を検出した場合、通信干渉に伴うエラーを防止するために最大送信電力を変更する。
【０１５１】
ステップＳ１１２で、シンク機は、検知された通信設定の変更指示に基づいて、通信設定のパラメータを変更し、当該処理を終了する。
【０１５２】
≪暗号化されたデータ送受信の動作≫
図１４は、本実施形態における認証処理を開始させる振動を検知した場合の動作の流れを示すシーケンス図である。
【０１５３】
ステップＳ１２１で、シンク機、ソース機１、ソース機２の間で、無線通信のための同期処理、無線接続処理、及び周波数帯域を予約する処理が実行される。
【０１５４】
ステップＳ１２２で、ソース機１は、シンク機に対してユーザの認証情報の送信要求を示す、振動を検知する。
【０１５５】
ステップＳ１２３で、ソース機１は、シンク機に対して、認証開始要求を送信する。
【０１５６】
ステップＳ１２４で、ソース機１は、シンク機から認証開始要求に対する応答を受信する。
【０１５７】
ステップＳ１２５で、シンク機は、ソース機１から受信した認証情報に基づいて認証処理を実行する共に認証結果をソース機１に通知する。
【０１５８】
ステップＳ１２６で、ソース機１は、映像音声データを送出する許可をシンク機に対して要求する、振動を検知する。
【０１５９】
ステップＳ１２７で、ソース機１は、振動内容報告をシンク機へ送信する。その後、ステップＳ１２８で、ソース機１は、シンク機から応答を受信する。
【０１６０】
ステップＳ１２９で、シンク機は、ソース機２に対して、データの送出停止命令を送信する。その後、ステップＳ１３０で、シンク機は、ソース機２から送出停止命令に対する応答を受信する。
【０１６１】
ステップＳ１３１で、シンク機は、ソース機１に対して、送出開始命令を送信する。その後、ステップＳ１３２で、シンク機は、ソース機１から送出開始命令に対する応答を受信する。
【０１６２】
ステップＳ１３３で、ソース機２は、省電力モードへ移行する。
【０１６３】
ステップＳ１３４で、ソース機１は、シンク機に対して映像音声データの送信を開始する。
【０１６４】
［変形例］
変形例では、第１の無線通信装置１００、第２の無線通信装置２００−１が表示部を備える構成について説明する。なお、実施形態と異なる事項について説明を行い、同じ事項は、同一の参照符号を付し、その説明を省略する。
【０１６５】
図１５は、変形例における、通信システム１の機能構成例を示す図である。
【０１６６】
＜機能構成＞
≪第２の無線通信装置２００−１≫
表示部は、ＬＥＤ（Ｌｉｇｈｔ  Ｅｍｉｔｔｉｎｇ  Ｄｉｏｄｅ）、ＬＣＤ（Ｌｉｑｕｉｄ  Ｃｒｙｓｔａｌ  Ｄｉｓｐｌａｙ）、液晶パネル等で構成される。
【０１６７】
表示部２０７は、検知された振動にしたがって、振動が示す動作指示を表示する。例えば、連続してソース機をたたく振動を検知した場合、表示部２０７は、この振動に割り当てられた映像音声データの送出の許可の要求を表示する。
【０１６８】
≪第１の無線通信装置１００≫
表示部１０６は、ソース機から指示された動作内容を表示させる。映像音声データの送出の許可を要求する指示をソース機から受信した場合、ソース機から映像音声データの送出許可を受信したことを通知する。
【０１６９】
［第２の実施形態］
第２の実施形態では、第１の無線通信装置１００、第２の無線通信装置２００−１、及び第３の無線通信装置２００−２がデータ暗号・復号化部を備える構成について説明する。
【０１７０】
なお、実施形態と異なる事項について説明を行い、同じ事項は、同一の参照符号を付し、その説明を省略する。
【０１７１】
＜機能構成＞
図１６は、第２の実施形態における、通信システムの機能構成例を示す図である。
【０１７２】
≪第２の無線通信装置２００−１≫
データ暗号・復号化部２０８は第１の無線通信装置１００と同一のアルゴリズムでマスター鍵を生成する。また、データ暗号・復号化部２０８は、マスター鍵と第１の無線通信装置１００のＭＡＣアドレスから暗号鍵を生成する。第２の無線通信装置２００−１は、生成した暗号鍵を用いて、送信する映像音声データを暗号化する。データ暗号・復号化部２０８により暗号化されたデータは、無線通信処理部２０６から第１の無線通信装置１００の無線通信処理部１０５へ送信される。
【０１７３】
≪第１の無線通信装置１００≫
データ暗号・復号化部１０７は、第２の無線通信装置２００−１と同一のアルゴリズムでマスター鍵を生成する。データ暗号・復号化部１０７は、マスター鍵と、第１の無線通信装置１００のＭＡＣアドレスに基づいて、暗号鍵に対する復号鍵を取得する。また、復号鍵の取得は、復号鍵を生成するサーバを用意し、そこから復号鍵を取得してもよい。データ暗号・復号化部１０７は、復号鍵により第２の無線通信装置２００−１から受信した暗号化されたデータを復号し、制御部に送信する。
【０１７４】
＜第２の実施形態における処理動作＞
図１７は、第２の実施形態における映像音声データを送出するソース機の切り替え動作の流れを示すシーケンス図である。
【０１７５】
ステップＳ１４１で、シンク機、ソース機１、ソース機２の間で、無線通信のための同期処理、無線接続処理、及び周波数帯域を予約する処理が実行される。
【０１７６】
ステップＳ１４２、Ｓ１４３で、ソース機１及びシンク機は、各装置のデータ暗号・復号化部１０７にて、マスター鍵を生成する。
【０１７７】
ステップＳ１４４で、ソース機１及びシンク機は、暗号鍵の生成及び共有を行う。
【０１７８】
ステップＳ１４５で、ソース機１は、映像音声データの送出を指示する振動を検知する。
【０１７９】
ステップＳ１４６で、ソース機１は、映像音声データの送出許可を要求する、送出開始要求をシンク機へ送信する。その後、ステップＳ１４７で、シンク機は、送出開始要求に対する応答を受信する。
【０１８０】
ステップＳ１４８で、シンク機は、ソース機２に対して、データの送出を停止させる、送出停止命令をソース機２に対して送信する。ステップＳ１４９で、シンク機は、ソース機２から送出停止命令に対する応答を受信する。
【０１８１】
ステップＳ１５０で、シンク機は、映像音声データの送信を要求する、送出開始命令をソース機１へ送信する。ステップＳ１５１で、シンク機は、ソース機１から送出開始命令に対する応答を受信する。
【０１８２】
ステップＳ１５２で、ソース機２は、省電力モードへ移行する。
【０１８３】
ステップＳ１５３で、ソース機１は、暗号化された映像音声データの送出を開始する。
【０１８４】
なお、上述の実施例の全部又は一部はプログラムによって実装され得る。このプログラムは、可搬記録媒体に格納することができる。可搬記録媒体とは、非一時的（ｎｏｎ−ｔｒａｎｓｉｔｏｒｙ）な記憶媒体を言う。可搬記録媒体の例としては、磁気記録媒体、光ディスク、光磁気記録媒体、不揮発性メモリなどがある。可搬型記録媒体に格納されたプログラムが読み出され、プロセッサーによって実行されることにより、本発明の実施例の全部又は一部が実施され得る。
【０１８５】
なお、上述した構成では、時分割多元接続通信方式による無線通信を行う例を示したが、時分割多元接続通信方式に限定せず、周波数分割多元接続方式、符号分割多元接続方式などの通信方式であってもよい。また、無線通信に限定せず、有線通信であってもよい。
【０１８６】
＜総括＞
以上、本発明の好適な実施の形態は、本発明の範囲を限定するものではなく、特許請求の範囲に定義された本発明の広範な趣旨および範囲から逸脱することなく、様々な修正および変更を加えることができることは明らかである。すなわち、具体例の詳細および添付の図面により本発明が限定されるものと解釈してはならない。
【符号の説明】
【０１８７】
１          無線通信システム
１００      第１の無線通信装置
１０１      制御部
１０２      映像音声出力処理部
１０３      装置情報記憶部
１０４      無線通信情報記憶部
１０５      無線通信処理部
１０６      表示部
１０７      データ暗号・復号化部
１１０      アンテナ
２００−１  第２の無線通信装置
２００−２  第３の無線通信装置
２０１      制御部
２０２      映像音声入力処理部
２０３      振動検知装置
２０４      装置情報記憶部
２０５      無線通信情報記憶部
２０６      無線通信処理部
２０７      表示部
２０８      データ暗号・復号化部
２１０      アンテナ
【先行技術文献】
【特許文献】
【０１８８】
【特許文献１】特開２００８−２５２９２９号公報
【特許文献２】特開２００４−２０８２９０号公報
【特許文献３】特開２００１−３１３８７５号公報
【図１】
0006565138.tif 000002
【図２】
0006565138.tif 000003
【図３】
0006565138.tif 000004
【図４】
0006565138.tif 000005
【図５】
0006565138.tif 000006
【図６】
0006565138.tif 000007
【図７】
0006565138.tif 000008
【図８】
0006565138.tif 000009
【図９】
0006565138.tif 000010
【図１０】
0006565138.tif 000011
【図１１】
0006565138.tif 000012
【図１２】
0006565138.tif 000013
【図１３】
0006565138.tif 000014
【図１４】
0006565138.tif 000015
【図１５】
0006565138.tif 000016
【図１６】
0006565138.tif 000017
【図１７】
0006565138.tif 000018